(57)【要約】【課題】            従来は、一方の接合端の係止突起と、他方の接合端の係止受部を利用して、耐震、耐風効果を達成する。しかし、この嵌合構造は、接合端の嵌合による棟方向における緊結関係に留まっているので、棟の上下方向での嵌合が必ずしも十分でなく、例えば、直下形の地震に対する備えに課題を残す。また瓦の内側の一方に突起を、他方に係合部を備えた構造では、結束時の問題と、欠損等の問題とを抱えており、その改良が要求される。【構成】            本発明は、棟瓦の両接合端に形成した傾斜接合面と、また棟瓦の棟瓦傾斜本体に垂設状に形成した裾部と、裾部に形成した緊結用の凹凸部と、接合端の何れか一方に形成した緊締用の釘孔を有する玉縁部とで構成される棟瓦である。【選択図】          図1
2005113455.tif 000002
【特許請求の範囲】
【請求項１】
棟瓦の両接合端に形成した傾斜接合面と、また棟瓦の棟瓦傾斜本体に垂設状に形成した裾部と、この裾部に形成した緊結用の凹凸部と、前記接合端の何れか一方に形成した緊締用の釘孔を有する玉縁部とで構成される棟瓦。
【請求項２】
請求項1に記載の裾部に形成した緊結用の凹凸部は、裾部の一部に設ける構成とし、この裾部の棟方向端面を連設した際に、前記凹凸部の連設箇所を、カムフラージュする構成とした棟瓦。
【請求項３】
棟瓦の両接合端に形成した垂直接合面と、また棟瓦の棟瓦傾斜本体に垂設した裾部と、この裾部に形成した緊結用の凹凸部と、前記接合端の何れか一方に形成した緊締用の釘孔を有する玉縁部とで構成される棟瓦。
【請求項４】
請求項3に記載の裾部に形成した緊結用の凹凸部は、裾部の一部に設ける構成とし、この裾部の棟方向端面を連設した際に、前記凹凸部の連設箇所を、カムフラージュする構成とした棟瓦。
【請求項５】
棟瓦の両接合端に形成した傾斜接合面と、また棟瓦の棟瓦湾曲表面に連設した裾部と、前記接合端の何れか一方に形成した緊締用の釘孔を有する玉縁部とで構成される棟瓦であって、
この一方の接合端の被り側に設けた玉縁部に、他方の接合端の差込み側を被せ設けるとともに、この被せ設けた状態が、前記玉縁部の上側の被り長さに対して、この玉縁部の下側の被り長さを略2倍に構成した被り状態を確保し、この略2倍の被り長さが確保された被り状態と、前記玉縁部に緊締する釘とを利用して連設する棟瓦の緊結を図る構成とした棟瓦。
【発明の詳細な説明】
【技術分野】
【０００１】
本発明は、棟瓦に関する。
【背景技術】
【０００２】
従来、この種の棟瓦において、耐震、耐風雨を意図した発明としては、次に掲げる文献が存在する。以下に説明する。
【０００３】
文献(1)は、特開2002-146971に開示されている「耐震、耐風用棟瓦」であり、ひもの裏面側に係止突起を設け、この係止突起を他の接合の他面内側に係止受部を設け、この係止突起と係止受部との嵌め合せの利用で、耐震、耐風効果を達成する。
【０００４】
また文献(2)は、特開2002-242398に開示されている「換気棟装置」であり、その説明の中で、図8、図9に示したアルミ製の棟瓦がある。この棟瓦は、接合端の一面に係止突起を設け、この係止突起を他の接合端の他面内側に差込み係止する構造である。この差込み係止の利用で、耐震、耐風効果を達成する。
【０００５】
さらに文献(3)は、特開2000-199301に開示されている「平瓦及びそれを使用した本瓦葺屋根構造」であり、接合端の一面に頭凸部を設け、この頭凸部を他の接合端に尻凹部を設け、この頭凸部と尻凹部との嵌め合せの利用で、耐震、耐風効果を達成する。
【０００６】
また文献(4)は、実公平7-21700号に開示されている「隅棟面戸および隅棟面戸瓦」であり、両接合端に傾斜接合面を設け、この傾斜接合面を利用して、戻り勾配に対応したモジュール棟を構築することを意図する。
【０００７】
【特許文献１】特開2002-146971
【特許文献２】特開2002-242398
【特許文献３】特開2000-199301
【特許文献４】実公平7-21700号
【発明の開示】
【発明が解決しようとする課題】
【０００８】
文献(1)〜(3)に於いては、接合端に設けた係止突起等の係止手段と、他の接合端に設けた係止受部等の被係止手段とを利用して、耐震、耐風効果を達成する。しかし、この単純な嵌合構造では、必ずしも十分できない。その理由は、接合端の嵌合による棟方向における緊結関係に留まっている。従って、棟の上下方向(天地方向)での嵌合が必ずしも十分でなく、例えば、直下形の地震に対する備えに課題を残している。尚、瓦の内側に突起を備えた構造では、結束時の問題と、欠損等の問題とを抱えており、その改良が必要とされている。
【０００９】
これに鑑み、本発明では、棟瓦に傾斜接合面を備えた両接合端を形成し、この一方の接合端の被り側に設けた玉縁部に、他方の接合端の差込み側を被せ設けるとともに、この被せ設けた状態が、前記玉縁部の上側の被り長さに対して、この玉縁部の下側の被り長さを略2倍に構成した被り状態を確保し、この略2倍の被り長さが確保された被り状態と、前記玉縁部に緊締する釘とを利用して連設する棟瓦の緊結を図る構成とした棟瓦の構造を提供する。
【課題を解決するための手段】
【００１０】
請求項1の発明は、裾部に形成した緊結用の凹凸部を係合することで、耐震、耐風効果を図ること、又は玉縁部のみに釘孔を開設したことで、雨仕舞い及び／又は美観の向上を図ること等を意図する。また前記垂設状に形成した緊結用の凹凸部と、垂直に打ち込んだ釘との緊締により、確実かつ強固な緊締を図ることを意図する。
【００１１】
請求項1は、棟瓦の両接合端に形成した傾斜接合面と、また棟瓦の棟瓦傾斜本体に垂設状に形成した裾部と、この裾部に形成した緊結用の凹凸部と、前記接合端の何れか一方に形成した緊締用の釘孔を有する玉縁部とで構成される棟瓦である。
【００１２】
請求項2の発明は、請求項1の目的を達成すること、又は裾部の外観形状を確保して、棟の美観及び／又は商品価値の向上とを意図する。
【００１３】
請求項2は、請求項1に記載の裾部に形成した緊結用の凹凸部は、裾部の一部に設ける構成とし、この裾部の棟方向端面を連設した際に、前記凹凸部の連設箇所を、カムフラージュする構成とした棟瓦である。
【００１４】
請求項3の発明は、棟瓦に傾斜接合面を備えた両接合端を形成し、この一方の接合端の被り側に設けた玉縁部に、他方の接合端の差込み側を被せ設けるとともに、この被せ設けた状態による緊締と、玉縁部に緊締する釘とを利用して連設する棟瓦の緊結を図ることを意図する。
【００１５】
請求項3は、棟瓦の両接合端に形成した垂直接合面と、また棟瓦の棟瓦傾斜本体に垂設した裾部と、この裾部に形成した緊結用の凹凸部と、前記接合端の何れか一方に形成した緊締用の釘孔を有する玉縁部とで構成される棟瓦である。
【００１６】
請求項4の発明は、請求項3の目的を達成すること、又は裾部の外観形状を確保して、棟の美観及び／又は商品価値の向上とを意図する。
【００１７】
請求項4は、請求項1に記載の裾部に形成した緊結用の凹凸部は、裾部の一部に設ける構成とし、この裾部の棟方向端面を連設した際に、前記凹凸部の連設箇所を、カムフラージュする構成とした棟瓦である。
【００１８】
請求項5の発明は、棟瓦に傾斜接合面を備えた両接合端を形成し、この一方の接合端の被り側に設けた玉縁部に、他方の接合端の差込み側を被せ設けるとともに、この被せ設けた状態が、前記玉縁部の上側の被り長さに対して、この玉縁部の下側の被り長さを略2倍に構成した被り状態を確保し、この略2倍の被り長さが確保された被り状態と、前記玉縁部に緊締する釘とを利用して連設する棟瓦の緊結を図ることを意図する。
【００１９】
請求項5は、棟瓦の両接合端に形成した傾斜接合面と、また棟瓦の棟瓦湾曲表面に連設した裾部と、前記接合端の何れか一方に形成した緊締用の釘孔を有する玉縁部とで構成される棟瓦であって、
この一方の接合端の被り側に設けた玉縁部に、他方の接合端の差込み側を被せ設けるとともに、この被せ設けた状態が、前記玉縁部の上側の被り長さに対して、この玉縁部の下側の被り長さを略2倍に構成した被り状態を確保し、この略2倍の被り長さが確保された被り状態と、前記玉縁部に緊締する釘とを利用して連設する棟瓦の緊結を図る構成とした棟瓦である。
【発明の効果】
【００２０】
請求項1の発明は、棟瓦の両接合端に形成した傾斜接合面と、また棟瓦の棟瓦傾斜本体に垂設状に形成した裾部と、裾部に形成した緊結用の凹凸部と、接合端の何れか一方に形成した緊締用の釘孔を有する玉縁部とで構成される棟瓦である。
【００２１】
従って、請求項1は、裾部に形成した緊結用の凹凸部を係合することで、耐震、耐風効果が図れること、又は玉縁部のみに釘孔を開設したことで、雨仕舞い及び／又は美観の向上が図れること等の特徴がある。また前記垂設状に形成した緊結用の凹凸部と、垂直に打ち込んだ釘との緊締により、確実かつ強固な緊締が図れる実益がある。
【００２２】
請求項2の発明は、請求項1に記載の裾部に形成した緊結用の凹凸部は、裾部の一部に設ける構成とし、裾部の棟方向端面を連設した際に、凹凸部の連設箇所を、カムフラージュする構成とした棟瓦である。
【００２３】
従って、請求項2は、請求項1の目的を達成できること、又は裾部の外観形状を確保して、棟の美観及び／又は商品価値の向上が図れること等の特徴がある。
【００２４】
請求項3の発明は、棟瓦の両接合端に形成した垂直接合面と、また棟瓦の棟瓦傾斜本体に垂設した裾部と、裾部に形成した緊結用の凹凸部と、接合端の何れか一方に形成した緊締用の釘孔を有する玉縁部とで構成される棟瓦である。
【００２５】
従って、請求項3の発明は、棟瓦に傾斜接合面を備えた両接合端に形成し、この一方の接合端の被り側に設けた玉縁部に、他方の接合端の差込み側を被せ設けるとともに、この被せ設けた状態による緊締と、玉縁部に緊締する釘とを利用して連設する棟瓦の緊結が図れる特徴がある。
【００２６】
請求項4の発明は、請求項1に記載の裾部に形成した緊結用の凹凸部は、裾部の一部に設ける構成とし、この裾部の棟方向端面を連設した際に、凹凸部の連設箇所を、カムフラージュする構成とした棟瓦である。
【００２７】
従って、請求項4の発明は、請求項3の目的が達成できること、又は裾部の外観形状を確保して、棟の美観及び／又は商品価値の向上が図れること等の特徴がある。
【００２８】
請求項5の発明は、棟瓦の両接合端に形成した傾斜接合面と、また棟瓦の棟瓦湾曲表面に連設した裾部と、接合端の何れか一方に形成した緊締用の釘孔を有する玉縁部とで構成される棟瓦であって、
一方の接合端の被り側に設けた玉縁部に、他方の接合端の差込み側を被せ設けるとともに、被せ設けた状態が、玉縁部の上側の被り長さに対して、玉縁部の下側の被り長さを略2倍に構成した被り状態を確保し、略2倍の被り長さが確保された被り状態と、玉縁部に緊締する釘とを利用して連設する棟瓦の緊結を図る構成とした棟瓦である。
【００２９】
従って、請求項5の発明は、棟瓦に傾斜接合面を備えた両接合端に形成し、この一方の接合端の被り側に設けた玉縁部に、他方の接合端の差込み側を被せ設けるとともに、この被せ設けた状態が、前記玉縁部の上側の被り長さに対して、この玉縁部の下側の被り長さを略2倍に構成した被り状態を確保し、この略2倍の被り長さが確保された被り状態と、前記玉縁部に緊締する釘とを利用して連設する棟瓦の緊結が図れる特徴がある。
【発明を実施するための最良の形態】
【００３０】
本発明の一例を説明する。尚、同じ名称、番号は、共通部品、部材(構成要素)を示す。
【００３１】
図1〜図4の例は、請求項1、2に対応する例であり、1は裾部100a、100bを有する略山形状を呈する棟瓦で、1aは棟瓦傾斜本体、1bは棟瓦傾斜本体1aの表面、1cは一方の接合端、1dは他方の接合端である。そして、この例では、一方・他方の係合端1c・1d(接合面)を傾斜接合面1c-1・1d-1にそれぞれ形成し、この傾斜接合面1c-1と、傾斜接合面1d-1は、葺設状態で略完全に接合(係合)する。2は一方の接合端1cに設けた玉縁部で、この玉縁部2には釘孔3と水誘導用の溝4とを有する。また棟瓦1には、両裾部100a、100bが垂設して設けられており(棟芯の垂直方向に対して)、この両裾部100a、100bの一方の接合端1c(玉縁側200)には、係止凹部5を、また他方の接合端1d(反玉縁側201)には、係止凸部6をそれぞれ設ける。そして、この凹凸部5、6の係合と、玉縁部2の釘孔3に設けた釘(後述する)の緊締とを介して、この棟瓦1に連設する棟瓦1-1との緊結を図る。尚、凹凸部5、6を設ける方向は、一例である。従って、図1〜図4に図示しないが、例えば、一方の接合端1cに凸部(図示せず)、また他方の接合端1dに凹部(図示せず)を設ける構造、また左側の両裾部100a、100bにそれぞれ凸部(図示せず)、左側の両裾部100a、100bにそれぞれ凹部(図示せず)を設ける構造等も可能である。また一方の接合端1cには、他方の接合端1dが接合し、玉縁部2には、他方の接合端1dの内側が被せ葺きされる。
【００３２】
図5〜図8の例は、請求項3、4に対応する例であり、基本的な構造は、前述した図1〜図4に準ずる。但し、この例では、一方・他方の係合端1c・1dを垂直接合面1c-10・1d-10にする。
【００３３】
次に図9〜図13の例は、請求項5に対応する例であり、基本的な構造は、前述した図1〜図4に準ずる。但し、この例では、棟瓦10が棟瓦湾曲本体10aであり、この棟瓦湾曲本体10aは裾部迄至る。そして、10bは棟瓦傾斜本体10aの表面を示す。またこの例では、一方・他方の係合端10c・10d(接合面)を傾斜接合面10c-10・10d-10にすること、及び玉縁部20の上側の被り長さL1に対して、この玉縁部20の下側の被り長さL2を略2倍に構成する。これにより、図13に示すように、棟瓦10の玉縁部20の釘孔30より、釘7を棟木Aに打ち込むことで、既に葺設した棟瓦10-1の傾斜接合面10c-10の下側にもぐり込んでいるこの棟瓦10の傾斜接合面10d-10が、当該棟瓦10-1の傾斜接合面10c-10に押さえ込まれるような状態で緊締される。勿論、当該棟瓦10-1は釘(図示せず)により棟木Aに固止されている。このように釘止めによる緊結と、もぐり込みによる緊結を介してこの棟瓦10は強固に葺設される。従って、本発明では、釘止めは、玉縁部20の一箇所で従来と同じ効果が期待できること、又は本発明では、原則として、従来の棟瓦(図示せず)に設けた釘孔(図示せず)は不要となる。さらに従来の如く、棟瓦(図示せず)に開設した釘孔(図示せず)よりの雨水侵入の問題点も解消できる。
【００３４】
尚、前記玉縁部20の上側の被り長さL1に対して、この玉縁部20の下側の被り長さL2を略2倍に構成する内容は、原則として、前述の図1〜図8の例にも採用する。また図9〜図13の例にも、前記図1〜図8の例に採用した凹凸部5、6を設けることは可能である。
【図面の簡単な説明】
【００３５】
【図１】請求項1、2に対応する第1の例を示した平面図
【図２】図１の例の側面図
【図３】図１の例の一方の係合端より見た側面図
【図４】図１の例の他方の係合端より見た側面図
【図５】請求項3、4に対応する第2の例を示した平面図
【図６】図５の例の側面図
【図７】図５の例の一方の係合端より見た側面図
【図８】図５の例の他方の係合端より見た側面図
【図９】請求項5に対応する第1の例を示した平面図
【図１０】図９の例の側面図
【図１１】図９の例の一方の係合端より見た側面図
【図１２】図９の例の他方の係合端より見た側面図
【図１３】図９の例の葺設状態の側面図
【符号の説明】
【００３６】
1            棟瓦
1-1          棟瓦
1a           棟瓦傾斜本体
1b           表面
1c           一方の接合端
1c-1         傾斜接合面
1d           他方の接合端
1d-1         傾斜接合面
100a         裾部
100b         裾部
2            玉縁部
3            釘孔
4            溝
5            凹部
6            凸部
7            釘
1c-10        垂直接合面
1d-10        垂直接合面
10           棟瓦
10-1         棟瓦
10a          棟瓦湾曲本体
10b          表面
10c          一方の接合端
10c-10       傾斜接合面
10d          他方の接合端
10d-10       傾斜接合面
20           玉縁部
200          玉縁側
201          反玉縁側
30           釘孔
40           溝
A            棟木
【図１】
2005113455.tif 000003
【図２】
2005113455.tif 000004
【図３】
2005113455.tif 000005
【図４】
2005113455.tif 000006
【図５】
2005113455.tif 000007
【図６】
2005113455.tif 000008
【図７】
2005113455.tif 000009
【図８】
2005113455.tif 000010
【図９】
2005113455.tif 000011
【図１０】
2005113455.tif 000012
【図１１】
2005113455.tif 000013
【図１２】
2005113455.tif 000014
【図１３】
2005113455.tif 000015